(57)【特許請求の範囲】
【請求項１】
画像形成装置本体に対して着脱可能であって、少なくとも光源と、該光源から出射される光ビームを結像させる結像レンズ、該結像レンズを通過した光ビームを反射させる反射ミラー等の光学部品と、該光学部品の位置や傾きを変化させて光ビームの走査方向を調整する調整機構をハウジング内に収容して成る光走査装置において、
前記調整機構のハウジング外へ突出する調整ダイヤルに着脱可能な連結部材を設け、
前記連結部材にギヤ部を設けるとともに、該ギヤ部を画像形成装置本体側に回転可能に設けられたギヤに噛合させ、該ギヤを回転させることによって前記調整機構を動作させるよう構成したことを特徴とする光走査装置。
【請求項２】
前記調整ダイヤルに形成された非円形の嵌合穴に前記連結部材に形成された嵌合部を嵌合させ、該嵌合部の先端に形成された係合爪を調整ダイヤルに形成された係合孔に係合させることによって連結部材を調整ダイヤルに連結するよう構成したことを特徴とする請求項１記載の光走査装置。
【請求項３】
請求項１又は２に記載の光走査装置を備えることを特徴とする画像形成装置。
【発明の詳細な説明】
【技術分野】
【０００１】
本発明は、結像レンズや反射ミラー等の光学部品の位置や傾きを変化させて光ビームの走査方向を調整する調整機構を有する光走査装置とこれを備える複写機やプリンタ等の画像形成装置に関するものである。
【背景技術】
【０００２】
電子写真方式によって画像を形成する複写機やプリンタ等の画像形成装置においては、帯電器によって一様に帯電された感光体に光走査装置から画像書き込み用の光ビームを照射して該感光体に静電潜像を形成し、この静電潜像を現像装置によってトナーを用いて現像してトナー像として顕像化することが行われている。
【０００３】
ところで、光走査装置は、少なくとも光源と、該光源から出射される光ビームを結像させる結像レンズ、該結像レンズを通過した光ビームを反射させる反射ミラー等の光学部品をハウジング内に収容して構成され、反射ミラーで反射した光ビームは感光体上に結像されて露光走査し、該感光体上に画像情報に応じた静電潜像を形成する。
【０００４】
斯かる光走査装置による露光走査において、感光体への光路（主走査ライン）の副走査方向の位置ズレ（Ｓｋｅｗ）が発生すると、特にカラー画像形成装置においてはカラー画像に色ズレが発生する。
【０００５】
そこで、光走査装置には、結像レンズや反射ミラー等の走査光学部品の位置や傾きを変化させて光ビームの走査方向を調整する調整機構が設けられている（例えば、特許文献１〜３参照）。
【先行技術文献】
【特許文献】
【０００６】
【特許文献１】特開２００２−１４８５５０号公報
【特許文献２】特開２００５−３０９３０１号公報
【特許文献３】特開２００１−０５１２２２号公報
【発明の概要】
【発明が解決しようとする課題】
【０００７】
しかしながら、調整機構によって光走査装置単体でＳｋｅｗ調整を行っても、光走査装置を画像形成装置本体に組み付けたときのガタや部品寸法のバラツキ等によって光ビームの走査方向が理想の方向からずれてしまうという問題があった。そこで、調整機構の調整ダイヤルをハウジング外に突出させ、光走査装置を画像形成装置に組み込んだ状態で調整ダイヤルを治具や工具によって回してＳｋｅｗ調整を行うようにしている。
【０００８】
ところが、Ｓｋｅｗ調整には専用の治具や工具が必要であるため、調整を簡単に行うことができないという問題があった。
【０００９】
本発明は上記問題に鑑みてなされたもので、その目的とする処は、光ビームの走査方向の調整を治具や工具を用いることなく簡単に行うことができる光走査装置及びこれを備えた画像形成装置を提供することにある。
【課題を解決するための手段】
【００１０】
上記目的を達成するため、請求項１記載の発明は、画像形成装置本体に対して着脱可能であって、少なくとも光源と、該光源から出射される光ビームを結像させる結像レンズ、該結像レンズを通過した光ビームを反射させる反射ミラー等の光学部品と、該光学部品の位置や傾きを変化させて光ビームの走査方向を調整する調整機構をハウジング内に収容して成る光走査装置において、前記調整機構のハウジング外へ突出する調整ダイヤルに着脱可能な連結部材を設けたことを特徴とする。
【００１１】
請求項２記載の発明は、請求項１記載の発明において、前記調整ダイヤルに形成された非円形の嵌合穴に前記連結部材に形成された嵌合部を嵌合させ、該嵌合部の先端に形成された係合爪を調整ダイヤルに形成された係合孔に係合させることによって連結部材を調整ダイヤルに連結するよう構成したことを特徴とする。
【００１２】
請求項３記載の発明は、請求項１又は２記載の発明において、前記連結部材にギヤ部を設けるとともに、該ギヤ部を画像形成装置本体側に回転可能に設けられたギヤに噛合させ、該ギヤを回転させることによって前記調整機構を動作させるよう構成したことを特徴とする。
【００１３】
請求項４記載の画像形成装置は、請求項１〜３の何れかに記載の光走査装置を備えることを特徴とする。
【発明の効果】
【００１４】
請求項１記載の発明によれば、光走査装置を画像形成装置本体に組み込んだ状態で調整機構の調整ダイヤルに取り付けられた連結部材を回すことによって光学部品の位置や傾きを変化させて光ビームの走査方向を簡単に調整することができ、カラー画像形成装置における色ズレ等の問題の発生を抑えることができる。
【００１５】
請求項２記載の発明によれば、連結部材を嵌合部を調整ダイヤルの嵌合穴に嵌め込めば、該嵌合部先端の係合爪が調整ダイヤルの係合孔に係合して連結部材が調整ダイヤルに取り付けられるため、該連結部材を調整ダイヤルの嵌合穴に嵌め込ムだけの簡単な操作で調整ダイヤルに取り付けることができる。又、調整ダイヤルに取り付けられた連結部材の係合爪の調整ダイヤルの係合孔への係合を解除すれば、連結部材を調整ダイヤルから簡単に取り外すことができる。
【００１６】
請求項３記載の発明によれば、調整ダイヤルに連結部材を取り付けた状態で光走査装置を画像形成装置本体に組み込めば、連結部材のギヤ部が画像形成装置本体側のギヤに噛合するため、画像装置本体側からキヤを回せば、その回転は連結部材を介して調整ダイヤルに伝達されて該調整ダイヤルが回転するため、画像形成装置本体側から光走査装置の光学部品の位置や傾きを変化させて光ビームの走査方向を調整することができる。
【００１７】
請求項４記載の発明によれば、光ビームの走査方向の調整がなされた光走査装置によって高精度な露光走査がなされるため、高質画像が安定的に得られ、カラー画像形成装置における色ズレ等の問題が解消される。
【図面の簡単な説明】
【００１８】
【図１】本発明に係る画像形成装置（カラーレーザープリンタ）の側断面図である。
【図２】本発明に係る光走査装置の斜視図である。
【図３】図２のＡ−Ａ線断面図である。
【図４】図２のＢ部拡大詳細図である。
【図５】Ｓｋｅｗ調整機構の斜視図である。
【図６】調整ダイヤルに連結部材を取り付けた状態を示す光走査装置の斜視図である。
【図７】図６のＣ部拡大詳細図である。
【図８】連結部材の調整ダイヤルに対する着脱構造を示す斜視図である。
【図９】連結部材の調整ダイヤルに対する着脱構造を示す斜視図である。
【図１０】（ａ），（ｂ）は連結部材の調整ダイヤルへの取付前後の状態を示す側断面図である。
【図１１】光走査装置側に取り付けられた連結部材の画像形成装置本体側のギヤへの噛合状態を示す光走査装置の斜視図である。
【発明を実施するための形態】
【００１９】
以下に本発明の実施の形態を添付図面に基づいて説明する。
【００２０】
［画像形成装置］
図１は本発明に係る画像形成装置の一形態としてのカラーレーザープリンタの断面図であり、図示のカラーレーザープリンタはタンデム型であって、その本体１００内の中央部には、マゼンタ画像形成ユニット１Ｍ、シアン画像形成ユニット１Ｃ、イエロー画像形成ユニット１Ｙ及びブラック画像形成ユニット１Ｋが一定の間隔でタンデムに配置されている。
【００２１】
上記各画像形成ユニット１Ｍ，１Ｃ，１Ｙ，１Ｋには、像担持体である感光ドラム２ａ，２ｂ，２ｃ，２ｄがそれぞれ配置されており、各感光ドラム２ａ〜２ｄの周囲には、帯電器３ａ，３ｂ，３ｃ，３ｄ、現像装置４ａ，４ｂ，４ｃ，４ｄ、転写ローラ５ａ，５ｂ，５ｃ，５ｄ及びドラムクリーニング装置６ａ，６ｂ，６ｃ，６ｄがそれぞれ配置されている。
【００２２】
ここで、前記感光ドラム２ａ〜２ｄは、ドラム状の感光体であって、不図示の駆動モータによって図示矢印方向（時計方向）に所定のプロセススピードで回転駆動される。又、前記帯電器３ａ〜３ｄは、不図示の帯電バイアス電源から印加される帯電バイアスによって感光ドラム２ａ〜２ｄの表面を所定の電位に均一に帯電させるものである。
【００２３】
更に、前記現像装置４ａ〜４ｄは、マゼンタ（Ｍ）トナー、シアン（Ｃ）トナー、イエロー（Ｙ）トナー、ブラック（Ｋ）トナーをそれぞれ収容しており、各感光ドラム２ａ〜２ｄ上に形成された各静電潜像に各色のトナーを付着させて各静電潜像を各色のトナー像として可視像化するものである。
【００２４】
又、前記転写ローラ５ａ〜５ｄは、各一次転写部にて中間転写ベルト７を介して各感光ドラム２ａ〜２ｄに当接可能に配置されている。ここで、中間転写ベルト７は、駆動ローラ８とテンションローラ９との間に張設されて各感光ドラム２ａ〜２ｄの上面側に走行可能に配置されており、前記駆動ローラ８は、二次転写部において中間転写ベルト７を介して二次転写ローラ１０に当接可能に配置されている。又、テンションローラ９の近傍にはベルトクリーニング装置１１が設けられている。
【００２５】
ところで、プリンタ本体１００内の各画像形成ユニット１Ｍ，１Ｃ，１Ｙ，１Ｋの上方には、前記各現像装置４ａ〜４ｄにトナーを補給するためのトナーコンテナ１２ａ，１２ｂ，１２ｃ，１２ｄが一列に並設されている。
【００２６】
又、プリンタ本体１００内の各画像形成ユニット１Ｍ，１Ｃ，１Ｙ，１Ｋの下方には、２台の光走査装置１３が用紙搬送方向に並設され、これらの光走査装置１３の下方のプリンタ本体１００の底部には給紙カセット１４が着脱可能に設置されている。そして、給紙カセット１４には複数枚の不図示の用紙が積層収容されており、この給紙カセット１４の近傍には、該給紙カセット１４から用紙を取り出すピックアップローラ１５と、取り出された用紙を分離して搬送パスＬへと１枚ずつ送り出すフィードローラ１６とリタードローラ１７が設けられている。
【００２７】
又、プリンタ本体１００の側部を上下方向に延びる前記搬送パスＳには、用紙を搬送する搬送ローラ対１８と、用紙を一時待機させた後に所定のタイミングで前記二次転写対向ローラ８と二次転写ローラ１０との当接部である二次転写部へと供給するレジストローラ対１９が設けられている。尚、搬送パスＬの横には、用紙の両面に画像を形成する場合に使用される別の搬送パスＳ’が形成されており、この搬送パスＳ’には複数の反転ローラ対２０が適当な間隔で設けられている。
【００２８】
ところで、プリンタ本体１００内の一側部に縦方向に配置された前記搬送パスＬは、プリンタ本体１００の上面に設けられた排紙トレイ２１まで延びており、その途中には定着装置２２と排紙ローラ対２３，２４が設けられている。
【００２９】
次に、以上の構成を有するカラーレーザープリンタによる画像形成動作について説明する。
【００３０】
画像形成開始信号が発せられると、各画像形成ユニット１Ｍ，１Ｃ，１Ｙ，１Ｋにおいて各感光ドラム２ａ〜２ｄが図示矢印方向（時計方向）に所定のプロセススピードで回転駆動され、これらの感光ドラム２ａ〜２ｄは、帯電器３ａ〜３ｄによって一様に帯電される。又、各光走査装置１３は、各色毎のカラー画像信号によって変調された光ビームを出射し、その光ビームを各感光ドラム２ａ〜２ｄの表面に照射し、各感光ドラム２ａ〜２ｄ上に各色のカラー画像信号に対応した静電潜像をそれぞれ形成する。
【００３１】
そして、先ず、マゼンタ画像形成ユニット１Ｍの感光ドラム２ａ上に形成された静電潜像に、該感光ドラム２ａの帯電極性と同極性の現像バイアスが印加された現像装置４ａによってマゼンタトナーを付着させ、該静電潜像をマゼンタトナー像として可視像化する。このマゼンタトナー像は、感光ドラム２ａと転写ローラ５ａとの間の一次転写部（転写ニップ部）において、トナーと逆極性の一次転写バイアスが印加された転写ローラ５ａの作用によって、図示矢印方向に回転駆動されている中間転写ベルト７上に一次転写される。
【００３２】
上述のようにしてマゼンタトナー像が一次転写された中間転写ベルト７は、次のシアン画像形成ユニット１Ｃへと移動する。そして、シアン画像形成ユニット１Ｃにおいても、前記と同様にして、感光ドラム２ｂ上に形成されたシアントナー像が一次転写部において中間転写ベルト７上のマゼンタトナー像に重ねて転写される。
【００３３】
以下同様にして、中間転写ベルト７上に重畳転写されたマゼンタ及びシアントナー像の上に、イエロー及びブラック画像形成ユニット１Ｙ，１Ｋの各感光ドラム２ｃ，２ｄ上にそれぞれ形成されたイエロー及びブラックトナー像が各一次転写部において順次重ね合わせられ、中間転写ベルト７上にはフルカラーのトナー像が形成される。尚、中間転写ベルト７上に転写されないで各感光ドラム２ａ〜２ｄ上に残留する転写残トナーは、各ドラムクリーニング装置６ａ〜６ｄによって除去され、各感光ドラム２ａ〜２ｄは次の画像形成に備えられる。
【００３４】
そして、中間転写ベルト７上のフルカラートナー像の先端が駆動ローラ８と二次転写ローラ１０間の二次転写部（転写ニップ部）に達するタイミングに合わせて、給紙カセット１４からピックアップローラ１５とフィードローラ１６及びリタードローラ１７によって搬送パスＬへと送り出された用紙がレジストローラ対１９によって二次転写部へと搬送される。そして、二次転写部に搬送された用紙に、トナーと逆極性の二次転写バイアスが印加された二次転写ローラ１０によってフルカラーのトナー像が中間転写ベルト７から一括して二次転写される。
【００３５】
而して、フルカラーのトナー像が転写された用紙は、定着装置２２へと搬送され、フルカラーのトナー像が加熱及び加圧されて用紙の表面に熱定着され、トナー像が定着された用紙は、排紙ローラ対２３，２４によって排紙トレイ２１上に排出されて一連の画像形成動作が完了する。尚、用紙上に転写されないで中間転写ベルト７上に残留する転写残トナーは、前記ベルトクリーニング装置１１によって除去され、中間転写ベルト７は次の画像形成に備えられる。
【００３６】
［光走査装置］
次に、本発明に係る前記光走査装置１３を図２〜図１１に基づいて説明する。
【００３７】
図２は本発明に係る光走査装置の斜視図、図３は図２のＡ−Ａ線断面図、図４は図２のＢ部拡大詳細図、図５はＳｋｅｗ調整機構の斜視図、図６は調整ダイヤルに連結部材を取り付けた状態を示す光走査装置の斜視図、図７は図６のＣ部拡大詳細図、図８及び図９は連結部材の調整ダイヤルに対する着脱構造を示す斜視図、図１０（ａ），（ｂ）は連結部材の調整ダイヤルへの取付前後の状態を示す側断面図、図１１は光走査装置側に取り付けられた連結部材の画像形成装置本体側のギヤへの噛合状態を示す光走査装置の斜視図である。尚、図１に示すカラーレーザープリンタには図２に示す光走査装置１３が２台並設されているが、両者の構成は同じであるため、以下、１台の光走査装置１３についてのみ図示及び説明する。
【００３８】
光走査装置１３は、樹脂にて一体成形されたハウジング２５を有しており、図３に示すように、該ハウジング２５には、その内部を上下に区画する水平な仕切り板２５Ａが一体に形成されている。そして、ハウジング２５の仕切り板２５Ａの上面の幅方向（図３の左右方向）中心部には偏向器であるポリゴンミラー２６が配置されており、ハウジング２５内の仕切り板２５Ａの上面と下面には前記ポリゴンミラー２６を中心としてこれの両側に２つの走査光学系３０，４０が対称に配置されている。尚、図示しないが、ハウジング２５内の仕切り板２５Ａの上方には走査光学系３０，４０に対応する光源である一対のレーザーダイオードと一対のシリンドリカルレンズが幅方向中心線を境としてこれの左右にそれぞれ配置されている。
【００３９】
前記走査光学系３０，４０は、ハウジング２５内の仕切り板２５Ａの上面に光ビームＬの進行方向に沿って配された第１結像レンズ３１，４１と第２結像レンズ３２，４２及び第１反射ミラー３３，４３と、基板２５Ａの下面に光ビームの進行方向に沿って配された第２反射ミラー３４，４４と第３反射ミラー３５，４５をそれぞれ備えている。
【００４０】
ところで、図示の１台の光走査装置１３は、図１に示すマゼンタ画像形成ユニット１Ｍの感光ドラム２ａとシアン画像形成ユニット１Ｃの感光ドラム２ｂを露光走査するものであって、図３に示すように、ハウジング２５の上面には樹脂製のカバー２７が被着され、ハウジング２５の設置面側である下面には同じく樹脂製の防塵カバー２８が被着されている。そして、各走査光学系３０，４０を構成する第３反射ミラー３５，４５と感光ドラム２ａ，２ｂを結ぶ光路上の仕切り板２５Ａとカバー２７には開口部２５ａ，２７ａがそれぞれ形成され、仕切り板２５Ａの第１反射ミラー３３，４３と第２反射ミラー３４，４４を結ぶ光路上には開口部２５ｂがそれぞれ形成されている。尚、カバー２７に形成された一対の開口部２７ａは防塵ガラス２９によって覆われている。
【００４１】
而して、１台の光走査装置１３において各走査光学系３０，４０に設けられた不図示のレーザーダイオードから出射する光ビームＬは、不図示のシリンドリカルレンズによって線状の光束に集光された後、回転駆動されるポリゴンミラー２６に対して対称な２方向から入射する。
【００４２】
上述のようにポリゴンミラー２６に入射した各光ビームＬは、ポリゴンミラー２６によって偏向された後、第１結像レンズ３１，４１と第２結像レンズ３２，４２を通過することによって等速走査光Ｌに変換される。そして、この等速走査光Ｌは、第１反射ミラー３３，４３によって下方に向かって直角に折り返され、仕切り板２５Ａに形成された開口部２５ｂを通過して第２反射ミラー３４，４４に至り、該第２反射ミラー３４，４４によって直角に折り返されて仕切り板２５Ａの下面に沿って水平に進行する。その後、光ビームＬは、第３反射ミラー３５，４５によって直角上方に折り返され、仕切り板２５Ａとカバー２７に形成された開口部２５ａ，２７ａを通過して感光ドラム２ａ，２ｂに向かい、これらの感光ドラム２ａ，２ｂをそれぞれ露光走査する。
【００４３】
図示の１台の光走査装置１３は、図１に示すマゼンタ画像形成ユニット１Ｍの感光ドラム２ａとシアン画像形成ユニット１Ｃの感光ドラム２ｂを露光走査するものであるが、図１に示すカラーレーザープリンタのプリンタ本体１００には前述のように同様の光走査装置１３が２台並設されており、これら２台の光走査装置１３によって他のイエロー画像形成ユニット１Ｙ及びブララック画像形成ユニット１Ｋの各感光ドラム２ｃ，２ｄを含む４つの感光ドラム２ａ〜２ｄの全てが光ビームＬによって露光走査される。
【００４４】
ところで、本実施の形態に係る光走査装置１３のハウジング２５内には、各走査光学系３０，４０の第３反射ミラー３５，４５の傾きを変化させることによって光ビームＬの副走査方向の位置ズレ（Ｓｋｅｗ）を調整するためのＳｋｅｗ調整機構がそれぞれ設けられている。
【００４５】
ここで、一方の走査光学系４０の第３反射ミラー４５の傾きを変化させるＳｋｅｗ調整機構の構成を図５に基づいて説明する。尚、他方の走査光学系３０の第３反射ミラー３５の傾きを変化させるＳｋｅｗ調整機構の構成は同じであるため、これについての図示及び説明は省略する。
【００４６】
図５に示すように、第３反射ミラー４５の長手方向一端は保持板バネ５０によってハウジング２５に弾性支持されており、同第３反射ミラー４５の長手方向他端はミラー押さえギヤ５１から一体に延びるピン５２によって支持されている。尚、第３反射ミラー４５は、その長手方向両端が不図示のミラー押さえバネによって保持板バネ５０とピン５２に押圧されている。
【００４７】
上記ミラー押さえギヤ５１は、ハウジング２５に螺着されたギヤ保持ビス５３に回転可能に螺合しており、該ミラー押さえギヤ５１には調整ダイヤル５４に一体に形成されたウォームギヤ５４Ａに噛合している。従って、調整ダイヤル５４を矢印方向に回転させれば、これと一体にウォームギヤ５４Ａが回転し、その回転は方向が変換されてミラー押さえギヤ５１に伝達され、該ミラー押さえギヤ５１がギヤ保持ビス５３上で回転する。このようにミラー押さえギヤ５１がギヤ保持ビス５３上で回転すると、該ミラ押さえギヤ５１はピン５２と共にギヤ保持ビス５３に沿って図示矢印方向に進退動するため、ピン５２に当接する第３反射ミラー４５の長手方向他端が反対側の一端（保持バネ５０によって支持されている側）に対してピン５２と共に移動してその傾きが変化し、該第３反射ミラー４５によって反射される光ビームＬの走査方向が調整される。
【００４８】
ところで、上記調整ダイヤル５４は、図２及び図４に示すようにハウジング２５の側部に突出しており、その軸中心部には六角レンチ等の工具を差し込み可能な六角形の嵌合穴５４ａが形成されている。そして、図４に詳細に示すように、嵌合穴５４ａの六角形の角部の相対向する２箇所には位置決め用の断面半円状の嵌合溝５４ｂが軸方向に形成されている。
【００４９】
又、図４に示すように、調整ダイヤル５４の外周３箇所には円弧状の凹部５４ｃが等角度ピッチで形成されており、ハウジング２５側には板金製のダイヤルストッパ５５が取り付けられている。このダイヤルストッパ５５にバネ状の係合部５５ａが形成されており、該係合部５５ａが調整ダイヤル５４の外周に形成された３つの凹部５４ｃの１つの係合することによって調整ダイヤル５４の回転にクリック感が付与される。
【００５０】
而して、図６及び図７に示すように、各調整ダイヤル５４には着脱可能な連結部材５６がそれぞれ取り付られる。ここで、連結部材５６には調整ダイヤル５４よりも大径のギヤ部５６Ａが設けられており、このギヤ部５６Ａの中心部には略円筒状の嵌合部５６Ｂが一体に延びており、この嵌合部５６Ｂには軸方向のスリットによって４つの分割片５６ａが形成されており、相対向する２つの分割片５６ａの先端には係合爪５６ｂが形成され、他の２つの分割片５６ａには断面半円状の係合凸部５６ｃが軸方向に形成されている。
【００５１】
他方、図９及び図１０に示すように、調整ダイヤル５４の外周の対向する２箇所には、前記嵌合穴５４ａに連通する矩形の係合孔５４ｄが形成されている。
【００５２】
前述のように構成された連結部材５６は、図１０（ａ）に示すように、嵌合部５６Ｂ側を先にして調整ダイヤル５４の嵌合穴５４ａに嵌め込むことによって調整ダイヤル５４に取り付けられる。即ち、連結部材５６の嵌合部５６Ｂの相対向する２つの分割片５６ａに形成された係合凸部５６ｃを調整ダイヤル５４の嵌合穴５４ａに形成された嵌合溝５４ｂに合わせ、連結部材５６の嵌合部５６Ｂを調整ダイヤル５４の嵌合穴５４ａに嵌め込んで該連結部材５６を押し込む。すると、連結部材５６の嵌合部５６Ｂに形成された相対向する２つの分結片５６ａの先端に形成された係合爪５６ｂが図１０（ｂ）に示すように調整ダイヤル５４の各係合孔５４ｄにそれぞれ係合するため、連結部材５６が図６及び図７に示すように調整ダイヤル５４に取り付けられる。又、調整ダイヤル５４に取り付けられた連結部材５６の係合爪５６ｂの調整ダイヤル５４の係合孔５４ｄへの係合を解除すれば、連結部材５６を調整ダイヤル５４から簡単に取り外すことができる。
【００５３】
従って、光走査装置１３を図１に示すプリンタ本体１００に組み込まれた状態で連結部材５６を回せば、調整ダイヤル５４が一体に回転し、前述のようにＳｋｅｗ調整機構が動作して各走査光学系３０，４０の第３反射ミラー３５，４５の傾きがそれぞれ変化することによって所望のＳｋｅｗ調整がなされる。このように本実施の形態によれば、光走査装置１３をプリンタ本体１００に組み込んだ状態でＳｋｅｗ調整機構の調整ダイヤル５４に取り付けられた連結部材５６を回すことによって第３反射ミラー３５，４５の傾きを変化させて光ビームＬの走査方向を簡単に調整することができ、この結果、図１に示すカラーレーザープリンタにおける色ズレ等の問題の発生を抑えることができ、高質のフルカラー画像を安定的に得ることができる。
【００５４】
尚、連結部材５６を回せば、これと共に回転する調整ダイヤル５４の外周に形成された凹部５４ｃにダイヤルストッパ５５の係合部５５ａが所定の角度ピッチ毎に係合するため、連結部材５６の回転にクリック感が与えられる。又、連結部材５６を図６及び図７に示すように調整ダイヤル５４に取り付けた状態では、該連結部材５６はハウジング２５の底面から突出するが、光走査装置１３をプリンタ本体１００に組み込む前の単体の状態では、連結部材５６を調整ダイヤル５４から取り外しておけば、該連結部材５６が床等に衝突して損傷する等の不具合が発生することがない。
【００５５】
ところで、本実施の形態では、図１１に示すように、プリンタ本体１００側には各連結部材５６に対応するギヤ５７がそれぞれ回転可能に設けられており、調整ダイヤル５４に連結部材５６を取り付けた状態で光走査装置１３をプリンタ本体１００に組み込めば、連結部材５６のギヤ部５６Ａがプリンタ本体１００側のギヤ５７に噛合する。そして、その状態においてプリンタ本体１００側からキヤ５７を回せば、その回転は連結部材５６を介して調整ダイヤル５４に伝達されて該調整ダイヤル５４が回転するため、プリンタ本体１００側から光走査装置１３の第３反射ミラー３５，４５の傾きを変化させて光ビームＬの走査方向を調整することができる。
【００５６】
尚、以上は本発明をカラーレーザープリンタとこれに備えられた光走査装置に対して適用した形態について説明したが、本発明は、他の任意の画像形成装置とこれに備えられた光走査装置に対しても同様に適用可能であることは勿論である。又、以上の実施の形態では、第３反射ミラーの傾きを調整するＳｋｅｗ調整機構について説明したが、Ｓｋｅｗ調整機構としては結像レンズや他の反射ミラーの傾きを調整するものであっても良い。
【符号の説明】
【００５７】
１Ｍ            マゼンタ画像形成ユニット
１Ｃ            シアン画像形成ユニット
１Ｙ            イエロー画像形成ユニット
１Ｋ            ブラック画像形成ユニット
２ａ〜２ｄ      感光ドラム
３ａ〜３ｄ      帯電ローラ
４ａ〜４ｄ      現像装置
５ａ〜５ｄ      転写ローラ
６ａ〜６ｄ      ドラムクリーニング装置
７              中間転写ベルト
８              駆動ローラ
９              テンションローラ
１０            ２次転写ローラ
１１            ベルトクリーニング装置
１２            レーザースキャナユニット（ＬＳＵ）
１３            光走査装置
１４            給紙カセット
１５            ピックアップローラ
１６            フィードローラ
１７            リタードローラ
１８            搬送ローラ対
１９            レジストローラ対
２０            搬送ローラ対
２１            排紙トレイ
２２            定着装置
２３，２４      排紙ローラ対
２５            光走査装置のハウジング
２５Ａ          ハウジングの仕切壁
２５ａ，２５ｂ  ハウジングの開口部
２６            ポリゴンミラー
２７            カバー
２７ａ          カバーの開口部
２８            防塵カバー
２９            防塵ガラス
３０，４０      走査光学系
３１，４１      第１結像レンズ
３２，４２      第２結像レンズ
３３，４３      第１反射ミラー
３４，４４      第２反射ミラー
３５，４５      第３反射ミラー
５０            保持バネ
５１            ミラー押さえギヤ
５２            ピン
５３            ギヤ保持ビス
５４            調整ダイヤル
５４Ａ          調整ダイヤルのウォームギヤ
５４ａ          調整ダイヤルの嵌合穴
５４ｂ          調整ダイヤルの嵌合溝
５４ｃ          調整ダイヤルの凹部
５４ｄ          調整ダイヤルの係合孔
５５            ダイヤルストッパ
５５ａ          ダイヤルストッパの係合部
５６            連結部材
５６Ａ          連結部材のギヤ部
５６Ｂ          連結部材の嵌合部
５６ａ          連結部材の分割片
５６ｂ          連結部材の係合爪
５６ｃ          連結部材の係合凸部
５７            ギヤ
１００          プリンタ本体（画像形成装置本体）
Ｌ              光ビーム
Ｓ，Ｓ’        搬送パス
【図１】
0005450261.tif 000002
【図２】
0005450261.tif 000003
【図３】
0005450261.tif 000004
【図４】
0005450261.tif 000005
【図５】
0005450261.tif 000006
【図６】
0005450261.tif 000007
【図７】
0005450261.tif 000008
【図８】
0005450261.tif 000009
【図９】
0005450261.tif 000010
【図１０】
0005450261.tif 000011
【図１１】
0005450261.tif 000012